(57)【要約】      （修正有）【課題】生産前のアパレルアイテムの需要量の調査や、顧客が望むオリジナリティのあるアパレルアイテムの生産を行うことを可能とするスペシャルイーコマースを提供する。【解決手段】アパレルブランド（利用者）側は需要量を確認でき、需要量や供給量に合わせた小ロット・短納期を可能とするサービスを使用する。また、顧客側は、オリジナリティのある「そこでしか手に入らない。」アイテムを主として購入する機会を得ることができる。スペシャルイーコマースを用いて、アパレルブランドが在庫を抱えるリスクの減少を達成する。また、顧客の要望に応えた付加価値やオリジナリティのある「そこでしか手に入らない。」アイテムを主として販売する。【選択図】図１
2018109858.tif 000002
【特許請求の範囲】
【請求項１】
スペシャルイーコーマスを用いて生産前のアパレルアイテムの需要量の調査も可能とする。
【請求項２】
スペシャルイーコマース顧客が望むオリジナリティのあるアパレルアイテムの生産を行う。
【請求項３】
本発明は、あらかじめ設定された注文数を達成したアパレルアイテムを顧客が購入できるようにする。スペシャルイーコマースではブランドと顧客の間にシタテル株式会社（０）が介在し、料金清算を行う。アパレルブランドの手数料は取引量に応じて１０〜２５％となり、生産確定後に手数料を支払うことになる。
シタテル株式会社（０）にてあらかじめ各アパレルブランドと個別に契約する。各アパレルブランドがスペシャルイーコマース上に生産予定のアパレルアイテムを掲載できるように実装しておく。
各アパレルブランドと顧客の間にシタテル株式会社（０）が介在して料金清算を行うことで、顧客は最低注文数に満たなかったアパレルアイテムのために料金を支払う必要がない。
また、初期においては、契約企業と共同検証を行い知見を蓄積していく場合もある。
【発明の詳細な説明】
【技術分野】
【０００１】  本発明は、スペシャルイーコマースに関する。
【背景技術】
【０００２】  近年ＥＣサイトによるアパレル販売件数は増加傾向にある。また、スマートフォンから簡単に売り買いを行えるｅコマースの人気が非常に高まっており、付加価値、限定性がありオリジナリティのある商品の需要が高まっている。しかし、ブランドがアパレルアイテムを販売する際、生産効率を求め、海外で大量に生産し採算性のあるアイテムを作る必要がある。直販モデルを除く、ほとんどのアパレル企業・ブランドが在庫に対する問題を抱えている。そのため、オリジナリティの高いアパレルアイテムの販売数は、数を集めることが困難で、生産に置いても多品種小ロットが求められ、難易度の高さから市場に出ている数は少ない。また、アパレルアイテムを生産するアパレルブランドは限られた販路のみでの受注販売はコストの掛かるオリジナリティの高いアイテムを販売することはリスクの高さが懸念される。
【発明の概要】
【０００３】ｅコマースを活用した受注生産販売システム
【発明が解決しようとする課題】
【０００４】スペシャルイーコマース（１）を用いてアパレルブランドが在庫を抱えるリスクの減少を達成する。また、顧客の要望に応えた付加価値、オリジナリティのある「そこでしか手に入らない。」アイテムを販売する。近年イーコマースによるアパレル販売件数はスマートフォンから簡単に売り買いを行えるフリーマーケットアプリの人気なども後押しし、アパレル購入者も増加傾向にある。そんな中、製品がコモディティー化しない付加価値・オリジナリティのある商品の需要が高まっている。しかし、オリジナリティの高いアパレルアイテムの販売数が少ない。なぜなら、直販モデルを除く、ほとんどのアパレル企業・ブランドが在庫に対する生産背景に問題を抱えている。また、アパレルアイテムを生産するアパレルブランドは多品種小ロットでコストの掛かるオリジナリティの高いアイテムを販売することはリスクが高いことが懸念される。
アパレルブランド側は顧客の要望に応えるために様々なアイテムを生産したいと考えている。しかし、採算性の合わないアイテムを生産することは現実的に難しい。そのため、利益を生み出せるだけのアイテムだとしても、需要のないアイテムや不良在庫になる可能性のあるアイテムは生産・販売されづらい。つまり、アパレルブランド側は売上や利益を得る機会を失い、顧客はアイテムを購入する機会を失ってしまっている。また、アパレルブランド側は需要がないアイテムを余分に生産してしまった場合、赤字を被ってしまう。
そこで、アパレルブランド側が需要量を確認でき、需要量や供給量に合わせた小ロット・短納期を可能とするサービスを提供する。また、顧客側はオリジナリティのある「そこでしか手に入らない。」アイテムを購入する機会を得ることができる。顧客は企業が似通ったトレンド商品で構成されたＰＢの構成比が高まる中で、コモディティ化した商品ではなくより個性的な商品を求め始める傾向にあるため、アパレルブランドと顧客のニーズが一致している。そのため、アパレルブランド側は顧客側の需要量をあらかじめ調査し、採算性があるかを検証することができ、小ロット・短納期を可能とする生産インフラを利用することによりシームレスに配送を実現できる。また、顧客側は各々が欲しいオリジナリティのあるアイテムを購入することが可能となる。
【課題を解決するための手段】
【０００５】  本発明では、スペシャルイーコマース（１）を用いて生産前のアパレルアイテムの需要量の調査も可能とする。【０００６】  本発明によれば、アパレルブランドはアパレルアイテムの需要量の確認することが可能となる。そのため、アパレルブランドが設定する最低注文数を超えない場合、アパレルアイテムの生産を行わずに済み、不良在庫を抱えるリスクを抑えることができる。また、アパレルブランドは販売経路拡大のみならず、新アイテムのサンプルを投入し、顧客の反応から生産量を調整することができる。【０００７】  及び、本発明は顧客が望むオリジナリティのあるアパレルアイテムの生産を行う。【０００８】  本発明によれば、オリジナリティのあるアパレルアイテムを購入可能となる。ブランド側がトレンドを先取りした商品を試しにスペシャルイーコマース（１）に掲載したとき、トレンドを先取りしたい顧客はトレンドが始まる前に最新のファッションアイテムを購入する機会を得ることが可能となる。【０００９】  及び、本発明は、あらかじめ設定された注文数を達成したアパレルアイテムを顧客が購入できるようにする。スペシャルイーコマース（１）ではブランドと顧客の間にシタテル株式会社（０）が介在し、料金清算を行う。アパレルブランドの手数料は取引量に応じて１０〜２５％となり、生産確定後に手数料を支払うことになる。
シタテル株式会社（０）にてあらかじめ各アパレルブランドと個別に契約する。各アパレルブランドがスペシャルイーコマース（１）上に生産予定のアパレルアイテムを掲載できるように実装しておく。
各アパレルブランドと顧客の間にシタテル株式会社（０）が介在して料金清算を行うことで、顧客は最低注文数に満たなかったアパレルアイテムのために料金を支払う必要がない。
また、初期においては、契約企業と共同検証を行い知見を蓄積していく場合もある。【００１０】  本発明によれば、顧客は最低注文数を超えたアパレルアイテムを購入することができ、最低注文数を超えなかったアパレルアイテムについては料金を支払う必要もない。また、ブランドは最低注文数も超えていないアパレルアイテムを生産せずに済む。
【図面の簡単な説明】
【００１１】
【図１】スペシャルイーコマース  システム及びそれに掛るシステムの構成図である。
【符号の説明】
【００１２】０  シタテル株式会社
１  スペシャルイーコマース
２  シタテルの生産インフラ
３  各企業の物流センター
【図１】
2018109858.tif 000003